(57)【要約】  【課題】  フォークリフトによる移動作業中における取鍋本体の損傷を確実に防止できるようにし、かつ、搬送取鍋の所定位置への設置を容易かつ迅速にできる搬送取鍋を提供する。  【解決手段】  溶湯が収容される鍋部２２を備えた取鍋本体２１と、取鍋本体２１の底面に取り付けられた差込み台３０とを備え、差込み台３０は、フォーク部が挿入される開口部を側面に有するフォークポケット３２，３２を備える搬送取鍋１において、差込み台３０は、差込み台３０の上面において、前記開口部の上方に、フォーク受け具１０を備え、フォーク受け具１０は、前記フォーク部の挿入方向に対して垂直な第１の受け面１１ａを備えることを特徴とする搬送取鍋。  【選択図】  図１
0003102700.tif 000002
【実用新案登録請求の範囲】
【請求項１】
溶湯が収容される鍋部を備えた取鍋本体と、前記取鍋本体の底面に取り付けられた差込み台とを備え、前記差込み台は、フォーク部が挿入される開口部を側面に有するフォークポケットを備える搬送取鍋において、
前記差込み台は、前記差込み台の上面において、前記開口部の上方に、フォーク受け具を備え、
前記フォーク受け具は、前記フォーク部の挿入方向に対して垂直な第１の受け面を備えることを特徴とする搬送取鍋。
【請求項２】
前記フォーク受け具は、前記フォーク部の挿入方向に対して平行に、かつ、前記差込み台の上面に対して垂直な第２の受け面を更に備えることを特徴とする請求項１に記載の搬送取鍋。
【請求項３】
前記差込み台は、互いに平行となるように所定の間隔を空けて配置される一対の角筒状の差込み部材を備えており、
前記フォーク受け具は、前記第１の受け面と、前記第２の受け面とを外側に備えるＬ字形の部材により構成され、前記各角筒状の差込み部材の両端部に設けられていることを特徴とする請求項２に記載の搬送取鍋。
【考案の詳細な説明】
【技術分野】
【０００１】
本考案は、搬送取鍋に関する。
【背景技術】
【０００２】
例えば、鋳造工場においては、溶解炉で溶融したアルミニウムなどの溶湯を各鋳造設備に搬送する場合、溶湯が収容される鍋部を備えた取鍋本体と、フォークリフトのフォーク部を挿入するための差込み台とにより構成される搬送取鍋が用いられるのが一般的である（例えば特許文献１参照）。
【０００３】
従来の搬送取鍋を図４に示し、その構成及び搬送方法を以下に説明する。図４に示すように、搬送取鍋２０は、取鍋本体２１と差込み台３０とを備えている。
【０００４】
取鍋本体２１は、鍋部２２と蓋部２４とを備える。鍋部２２は、上部に開口部（図示せず）を有する円筒形状の容体であり、外周側面から斜め上方に突き出た注湯口２３を備える。蓋部２４は、鍋部２２の上部開口部を塞ぐように配置される。
【０００５】
差込み台３０は、フォークポケット３２を有する一対の差込み部材３１，３１を備えている。これら一対の差込み部材３１，３１は、互いに平行となるように、取鍋本体２１の底面に取り付けられている。また、一対の差込み部材３１，３１は、それぞれ、フォークリフトのフォーク間隔に対応する所定寸法を空けて配置されている。
【０００６】
以上のように構成される搬送取鍋２０を搬送し、所定位置に設置する作業を行う場合、作業者は、フォークリフトのフォーク部５１，５１を差込み台３０に差込み、搬送取鍋２０を持ち上げた後、該フォークリフトによって鋳造設備工場や倉庫等に搬送し、フォーク部を下げて所定位置に設置する。また、フォークリフトが入り込めないような場所に搬送取鍋２０を設置しなければならないような場合や、所定位置に正確に設置するための調整が必要な場合には、フォーク部先端５２，５２で搬送取鍋２０を押し込むことにより、所定位置に設置する。
【特許文献１】特開平１０−３２３７５０号公報
【考案の開示】
【考案が解決しようとする課題】
【０００７】
ところが、上記構成を備えた従来の搬送取鍋２０は、フォーク部先端５２，５２で搬送取鍋２０を押し込むことにより設置作業を行う場合、フォークリフトのフォーク部先端５２，５２により搬送取鍋２０を損傷させることを回避するため、搬送取鍋２０に角材などの当て部材（図示せず）を押し当て、この当て部材をフォーク部先端５２，５２で押し、搬送取鍋２０を所定位置にまで押し込む必要がある。しかし、角材などの当て部材を搬送取鍋２０に押し当てて設置作業を行う場合、作業者は、毎回、該部材を部材置き場にまで取りに行き、搬送取鍋２０に該部材を押し当てて設置作業を行い、設置作業が終了したら該部材を取り除き、部材置き場に収納するという一連の作業を行わなければならない。このような作業は、多大な労力と時間を要し、迅速な搬送取鍋の設置作業を妨げるという問題があった。
【０００８】
また、フォークリフトのフォーク部５１，５１を差込み台３０のフォークポケット３２，３２に挿入するに際し、フォーク部５１，５１の高さ調節を誤り、フォーク部５１，５１がフォークポケット３２，３２に挿入されず、フォーク部先端５２，５２で直接に搬送取鍋２０の側面底部付近を押し付け、損傷を与えるという問題があった。更に、角材などの当て部材を搬送取鍋２０に押し当てて設置作業を行う場合、搬送取鍋２０を押し当てている角材等の当て部材は、搬送取鍋２０に対して固定されていないため、作業中に該部材の位置がずれてしまうことがあり、該部材を介さずにフォーク部先端５２，５２で直接に搬送取鍋２０を押し付け、該搬送取鍋２０に損傷を与えるおそれがあった。
【０００９】
本考案は、このような問題を解決すべくなされたものであって、所定位置への設置が容易かつ迅速に可能であり、移動作業中における損傷を確実に防止できる搬送取鍋の提供を目的とする。
【課題を解決するための手段】
【００１０】
本考案の上記目的は、溶湯が収容される鍋部を備えた取鍋本体と、前記取鍋本体の底面に取り付けられた差込み台とを備え、前記差込み台は、フォーク部が挿入される開口部を側面に有するフォークポケットを備える搬送取鍋において、前記差込み台は、前記差込み台の上面において、前記開口部の上方に、フォーク受け具を備え、前記フォーク受け具は、前記フォーク部の挿入方向に対して垂直な第１の受け面を備えることを特徴とする搬送取鍋により達成される。
【００１１】
この搬送取鍋において、前記フォーク受け具は、前記フォーク部の挿入方向に対して平行に、かつ、前記差込み台の上面に対して垂直な第２の受け面を更に備えることが好ましい。
【００１２】
また、前記差込み台は、互いに平行となるように所定の間隔を空けて配置される一対の角筒状の差込み部材を備えており、前記フォーク受け具は、前記第１の受け面と、前記第２の受け面とを外側に備えるＬ字形の部材により構成され、前記各角筒状の差込み部材の両端部に設けられていることが好ましい。
【考案の効果】
【００１３】
本考案によれば、所定位置への設置が容易かつ迅速に可能であり、移動作業中における損傷を確実に防止できる搬送取鍋を提供することができる。
【考案を実施するための最良の形態】
【００１４】
以下、本考案の実施形態について添付図面を参照して説明する。図１は、本考案の一実施形態にかかる搬送取鍋を示す斜視図である。図１に示すように、搬送取鍋１は、取鍋本体２１と、差込み台３０とを備えている。取鍋本体２１の基本構成は、背景技術で説明した図４に示される取鍋本体２１と同じであるため、取鍋本体２１の部材と同一の部材については、同一の符号を付すると共に、詳細な説明は省略する。また、本実施形態では、搬送取鍋として、搬送取鍋を傾動させることにより注湯口から注湯を行う傾動式の搬送取鍋を採用しているが、空気または不活性ガスを吹き込んで加圧し、鍋部内の溶湯を取鍋外に排出して注湯を行う加圧式の搬送取鍋であってもよい。
【００１５】
差込み台３０は、一対の差込み部材３１，３１と、フォーク受け具１０とを備えている。差込み部材３１，３１は、角筒状に形成されており、フォークリフトのフォーク部５１，５１が挿入されるフォークポケット３２を備えている。これら一対の差込み部材３１，３１は、互いに平行となるように取鍋本体２１の底面に取り付けられている。また、一対の差込み部材３１，３１は、それぞれフォークリフトのフォーク部５１，５１の間隔に対応する所定寸法を空けて配置されている。
【００１６】
フォーク受け具１０は、外側に、第１の受け面１１ａと、第２の受け面１１ｂを備えたL字形の部材である。このＬ字形のフォーク受け具１０は、図１に示すように、一対の差込み部材３１，３１のそれぞれの両端部上面に、第１の受け面１１ａが差込み部材３１の長手方向に対して垂直となるように、かつ、第２の受け面１１ｂが平行となるように、溶接によって取り付けられている。また、第１の受け面１１ａ及び第２の受け面１１ｂの高さは、３ｃｍ〜１５ｃｍの範囲が好ましく、特に５ｃｍ〜１０ｃｍの範囲が好適であり、本実施形態では５ｃｍとしている。
【００１７】
以上の構成を備えた搬送取鍋１を搬送し、所定位置に設置する方法について以下に説明する。搬送取鍋１を搬送する作業者は、搬送取鍋１の差込み台３０に、フォークリフトのフォーク部５１，５１を差込み、搬送取鍋１を持ち上げた後、該フォークリフトによって鋳造設備工場や倉庫等に搬送し、所定位置に設置する。
【００１８】
また、所定位置への設置作業に際して、フォークリフトが入り込めないような場所に搬送取鍋１を設置しなければならない場合や、所定位置に正確に設置するための調整が必要な場合には、まず、一旦、搬送取鍋１を所定位置付近に下ろす。次に、フォークリフトのフォーク部５１，５１を差込み台３０から抜き出し、運転席に設けられているフォーク部昇降操作レバー（図示せず）を操作し、フォーク部先端５２をフォーク受け具１０の第１の受け面１１ａの略中心部にまで移動する。その後、フォーク部先端５２で、該受け面１１ａを押し付けることにより、搬送取鍋１を所定位置に移動させる。
【００１９】
以上のように、本実施形態の搬送取鍋によれば、フォークポケット３２，３２の上方に、第１の受け面１１ａを備えたフォーク受け具１０が存在するので，フォークポケット３２，３２にフォーク部５１，５１を挿入する際に、フォーク部５１，５１の高さ調節を誤り、フォーク部５１，５１がフォークポケット３２，３２に挿入されなかったとしても、フォーク受け具１０の第１の受け面１１ａにてフォーク部先端５２を受けることになる。従って，フォーク部先端５２で直接に鍋部２２の側面底部を押し付けることはなく、取鍋本体２１に損傷を与えることを確実に防止することができる。
【００２０】
また、フォークリフトが入り込めない場所への搬送取鍋１の設置作業や、所定位置への正確な設置作業が必要である場合等において、作業者は、角材などの当て具を搬送取鍋１に押し当てる作業を行うことなく、フォーク部先端５２，５２でフォーク受け具１０の第１の受け面１１ａを直接押し付けることにより、容易かつ迅速に搬送取鍋を所定位置に設置することができる。更に、フォーク受け具１０は、第１の受け面１１ａに加えて第２の受け面１１ｂを有しているため、フォーク部先端５２により多方向から該受け具１０を押すことが可能となり、より容易かつ正確に搬送取鍋１を所定位置に設置することができる。
【００２１】
以上，本考案の一実施形態について説明したが、本考案の具体的な態様は上記実施形態に限定されない。
【００２２】
上記実施形態においては、フォーク受け具１０を溶接によって差込み部材３１に取り付けているが、例えば、Ｌ字形の部材の底部内側にボルトを挿通するための複数のボルト挿通孔１３を空けた取付部１２を設け（図２参照）、更に、差込み部材３１の端部上面に、ボルト挿通孔１３に対応するボルト取付孔（図示せず）を設けることにより、フォーク受け具１０を差込み部材３１に対して着脱自在に取り付けられるような構成としてもよい。これにより、フォーク部先端５２との接触により、フォーク受け具１０が損傷した場合でも、フォーク受け具１０のみの交換が可能となる。
【００２３】
また、上記実施形態においては、図１に示すように、一対の差込み部材３１，３１の両端部上面に、フォーク受け具１０をそれぞれ取り付けているが、図３に示すように、一対の差込み部材３１，３１の端部を連結するようにコの字型のフォーク受け具１０を取り付けてもよい。この際、上記実施例と同様に、コの字型フォーク受け具１０の第１の受け面１１ａが、差込み部材３１，３１の長手方向に対して垂直となるように差込み部材３１，３１の端部上面に取り付けられる。このような構成とすることにより、第１の受け面１１ａが、取鍋本体２１の底部を広い範囲にわたり保護することになり、フォークリフトによる移動作業中における取鍋本体１の損傷をより確実に防止することができる。更に、フォーク部先端５２により搬送取鍋１を所定位置へ押し込む作業を行う場合において、第１の受け面１１ａが広い範囲にわたり存在するので、フォーク部先端５２で該受け面１１ａを押し込むことがより容易になる。
【図面の簡単な説明】
【００２４】
【図１】本考案の実施形態に係る搬送取鍋を示す斜視図である。
【図２】図１に示すフォーク受け具の変形例である。
【図３】図１に示すフォーク受け具の変形例を備えた搬送取鍋を示す斜視図である。
【図４】従来の搬送取鍋を示す斜視図である。
【符号の説明】
【００２５】
１    搬送取鍋
１０    フォーク受け具
１１ａ  第１の受け面
１１ｂ  第２の受け面
１２    取付部
１３    ボルト挿通孔
２０    搬送取鍋
２１    取鍋本体
２２    鍋部
２３    注湯口
２４    蓋部
３０    差込み台
３１    差込み部材
３２    フォークポケット
【図１】
0003102700.tif 000003
【図２】
0003102700.tif 000004
【図３】
0003102700.tif 000005
【図４】
0003102700.tif 000006